(57)【要約】【課題】レールを薄く形成して外観を向上させるとともに、天井へのレールの取付作業を簡単に行うことができる吊戸を提供すること。【解決手段】天井に設けたレール１に沿って扉２を移動可能に吊り下げた吊戸において、レール１を磁性体により形成するとともに、レール１に吸着する磁力を備えた戸車３を扉２の上部に配設し、戸車３とレール１との吸着力により扉２を吊り下げるようにする。【選択図】  図１
2004162382.tif 000002
【特許請求の範囲】
【請求項１】
天井側に設けたレールに沿って扉を移動可能に吊り下げた吊戸において、前記レールを磁性体により形成するとともに、該レールに吸着する磁力を備えた戸車を扉の上部に配設し、該戸車とレールとの吸着力により扉を吊り下げるようにしたことを特徴とする吊戸。
【請求項２】
前記扉の上部に、レールに付勢されて嵌合するガイド部材を配設したことを特徴とする請求項１記載の吊戸。
【請求項３】
レールを、非磁性体からなるベースの蟻溝に帯鋼を挿入して形成したことを特徴とする請求項１又は２記載の吊戸。
【発明の詳細な説明】
【０００１】
【発明の属する技術分野】
本発明は、吊戸に関し、特に、レールを薄く形成して外観を向上させるとともに、天井へのレールの取付作業を簡単に行うことができる吊戸に関するものである。
【０００２】
【従来の技術】
従来、吊戸は、左右１対のガイドローラを突出して設けた吊垂装置を吊戸の上部に取り付け、この吊垂装置のガイドローラを天井側に埋め込むようにして取り付けたチャンネル状のガイドレール内に挿入支持して、吊戸をガイドレールに沿って移動可能に吊垂支持するようにしている。
【０００３】
【発明が解決しようとする課題】
しかしながら、上記従来の吊戸は、ガイドレール内にガイドローラを収容する必要からその厚みが大きくなり、このため、天井側に埋め込むようにして取り付ける必要があり、取付作業が厄介になる上に、施工コストがかさむという問題があった。
【０００４】
本発明は、上記従来の吊戸が有する問題点に鑑み、レールを薄く形成して外観を向上させるとともに、天井へのレールの取付作業を簡単に行うことができる吊戸を提供することを目的とする。
【０００５】
【課題を解決するための手段】
上記目的を達成するため、本発明の吊戸は、天井側に設けたレールに沿って扉を移動可能に吊り下げた吊戸において、前記レールを磁性体により形成するとともに、該レールに吸着する磁力を備えた戸車を扉の上部に配設し、該戸車とレールとの吸着力により扉を吊り下げるようにしたことを特徴とする。
【０００６】
この吊戸は、天井側に設けたレールを磁性体により形成するとともに、該レールに吸着する磁力を備えた戸車を扉の上部に配設し、該戸車とレールとの吸着力により扉を吊り下げることから、レールを薄く形成して外観を向上させるとともに、天井へのレールの取付作業を簡単に行うことが可能となる。
【０００７】
この場合において、前記扉の上部に、レールに付勢されて嵌合するガイド部材を配設することができる。
【０００８】
これにより、衝撃等により戸車がレールから離れて落ちた場合でも、このガイド部材がレールとの嵌合を保持することによって、扉の転倒を防止することができる。
【０００９】
また、レールを、非磁性体からなるベースの蟻溝に帯鋼を挿入して形成することができる。
【００１０】
これにより、レールを低コストで製造することができる。
【００１１】
【発明の実施の形態】
以下、本発明の吊戸の実施の形態を図面に基づいて説明する。
【００１２】
図１〜図２に、本発明の吊戸の一実施例を示す。
この吊戸は、天井に設けたレール１に沿って扉２を移動可能に吊り下げるもので、前記レール１を磁性体により形成するとともに、該レール１に吸着する磁力を備えた戸車３を扉２の上部に配設し、該戸車３とレール１との吸着力により扉２を吊り下げるようにしている。
【００１３】
また、この吊戸は、前記扉２の上部に、レール１に付勢されて嵌合する１個以上（本実施例においては２個）のガイド部材４を配設している。
このガイド部材４は、戸車３がレール１から離れて落ちた場合に、前記付勢力によりレール１側に突出して、レール１との嵌合を保持することにより扉２の転倒を防止することができる。
このガイド部材４は、例えば、図３に示すように、筒状のケース４１にピン４２を内挿して、該ピン４２をコイルばね４３で付勢することにより形成することができる。
【００１４】
扉２は、床から天井までの高さよりやや小さめに形成されており、戸車３を介してレール１に吊られた状態では、その底部が床面から浮上している。
扉２の底部にはレール１と同方向となるガイド溝２１が形成されており、該ガイド溝２１には、床面に突設された下部ガイド部材５が摺動可能に嵌合する。
【００１５】
レール１は、図４に示すように、本実施例では、押し出し成形等によって製造したアルミニウム等の非磁性体からなるベース１１の蟻溝１２に帯鋼１３を挿入することにより、磁性体の帯鋼１３を走行面とする下向き開口の凹溝１４により形成されている。
このレール１は、例えば、ベース１１を介してビス１５等により天井の芯材に固定される。
【００１６】
戸車３は、図５（ａ）〜（ｄ）に示すように、本実施例では、車輪の中央に鉄製のヨーク３１を備えたものからなり、ヨーク３１の両側に配設された永久磁石３２により、磁性体のヨーク３１に磁力を付与している。
ヨーク３１は、この磁力によってレール１の走行面に吸着するとともに、レール１の凹溝１４に嵌合することにより、該レール１に沿って真っ直ぐに転動することができる。
【００１７】
戸車３とレール１の形状は、相互に嵌合することが走行上有利であり、例えば、図５（ｅ）〜（ｈ）に示すように、ヨーク３１と凹溝１４を片側に寄せたものや、同図（ｉ）〜（ｌ）又は図６に示すように、レール１を凸型として、このレール１を挟むように車輪の両側にヨーク３１を形成したもの等を採用することができる。
【００１８】
かくして、本実施例の吊戸は、天井側に設けたレール１を磁性体により形成するとともに、該レール１に吸着する磁力を備えた戸車３を扉２の上部に配設し、該戸車３とレール１との吸着力により扉２を吊り下げることから、レール１を薄く形成して外観を向上させるとともに、天井へのレール１の取付作業を簡単に行うことが可能となる。
そして、前記扉２の上部に、レール１に付勢されて嵌合するガイド部材を配設することにより、衝撃等により戸車３がレール１から離れて落ちた場合でも、このガイド部材がレール１との嵌合を保持することによって、扉２の転倒を防止することができる。
【００１９】
以上、本発明の実施例を説明したが、本発明の吊戸の構成は、この実施例の記載に限定されるものではなく、その趣旨を逸脱しない範囲において適宜に変更することが可能である。
【００２０】
【発明の効果】
本発明の吊戸によれば、天井側に設けたレールを磁性体により形成するとともに、該レールに吸着する磁力を備えた戸車を扉の上部に配設し、該戸車とレールとの吸着力により扉を吊り下げることから、レールを薄く形成して外観を向上させるとともに、天井へレールを直接取り付けることが可能となり、取付作業を簡単に行うことができるとともに、施工コストを低廉にできる。
【００２１】
また、前記扉の上部に、レールに付勢されて嵌合するガイド部材を配設することにより、衝撃等により戸車がレールから離れて落ちた場合でも、このガイド部材がレールとの嵌合を保持することによって、扉の転倒を防止することができる。
【００２２】
また、レールを、非磁性体からなるベースの蟻溝に帯鋼を挿入して形成することにより、レールを低コストで製造することができる。
【図面の簡単な説明】
【図１】本発明の吊戸の一実施例を示し、（ａ）は扉を取り外した断面図、（ｂ）は扉を取り付けた断面図、（ｃ）は同正面図、（ｄ）は扉の側面図である。
【図２】同実施例の扉を示し、（ａ）は戸車とガイド部材を取り付ける前の正面図、（ｂ）は戸車とガイド部材を取り付けた透視図、（ｃ）は同正面図である。
【図３】ガイド部材を示し、（ａ）は斜視図、（ｂ）は断面図である。
【図４】レールを示し、（ａ）はベースの断面図、（ｂ）はベースに帯鋼を挿入した断面図、（ｃ）は取付状態を示す断面図、（ｄ）は分解斜視図、（ｅ）は斜視図である。
【図５】戸車とレールを示し、（ａ）はレールの断面図、（ｂ）はレールと戸車の側面図、（ｃ）は戸車の側面図、（ｄ）は戸車の正面図、（ｅ）は他のレールの断面図、（ｆ）は同レールと他の戸車の側面図、（ｇ）は同戸車の側面図、（ｈ）は同戸車の正面図、（ｉ）はさらに他のレールの断面図、（ｊ）は同レールと他の戸車の側面図、（ｋ）は同戸車の側面図、（ｌ）は同戸車の正面図である。
【図６】戸車の他の例を示し、（ａ）は平面透視図、（ｂ）は正面図、（ｃ）は底面図、（ｄ）側面図である。
【符号の説明】
１    レール
１１  ベース
１２  蟻溝
１３  帯鋼
１４  凹溝
１５  ビス
２    扉
２１  ガイド溝
３    戸車
３１  ヨーク
３２  永久磁石
４    ガイド部材
４１  ケース
４２  ピン
４３  コイルばね
５    下部ガイド部材
【図１】
2004162382.tif 000003
【図２】
2004162382.tif 000004
【図３】
2004162382.tif 000005
【図４】
2004162382.tif 000006
【図５】
2004162382.tif 000007
【図６】
2004162382.tif 000008